(57)【特許請求の範囲】
【請求項１】
剥離シートに皮膚貼付用の粘着シートを粘着し、該粘着シートに剥離可能に接着層を介してシールを接着して成る光反射シール製品であって、
前記シールが、下地シートと再帰性の光反射作用を備えた光反射フィルムとの間にクッション材が挟まれると共に所定の外形形状に前記下地シートと光反射フィルムとが溶着され、かつ外形線位置に沿って、切り離し用の切り込みが設けられて形成され、
前記接着層に前記シールの下地シートが接着され、前記接着層に剥離可能に粘着シートが接着されて、前記シールが、前記粘着シートを介して前記剥離シートに粘着されていることを特徴とする光反射シール製品。
【請求項２】
前記光反射フィルムが、透明な表面フィルムとマイクロプリズム作用をなす光反射材を支持するシーリングフィルムとが中間に薄い空気層を挟んで貼り合わせて形成されたものであることを特徴とする請求項１記載の光反射シール製品。
【発明の詳細な説明】
【０００１】
【発明の属する技術分野】
本発明は光反射シール製品に関し、より詳細にはシールのキャラクター表示部に光反射フィルムを使用した光反射シール製品に関する。
【０００２】
【従来の技術】
シール製品は各種商品のラベルあるいはワンポイントマーク等として種々の分野で使用されている。シールはきわめて多様なデザインに形成することが容易に可能であり、用途に応じて適宜材料を使用して特徴のある製品を形成することが可能である。従来のシール製品は、表面に文字または図形が印刷等によって表示されたシールに、所定の外形形状にしたがって切り離し用の切り込みが設けられ、シールの裏面に粘着剤が塗布され、剥離紙にシールが粘着されて提供される。使用にあたっては、シールを剥離紙から剥離することによって適宜個所にシールを粘着することができる。
【０００３】
【発明が解決しようとする課題】
ところで、本発明者は先にボタン基材に光反射フィルムを貼着し、光反射フィルムの表面に透明な樹脂材をポッティングして光反射フィルムを封止した光反射服飾ボタン（特開平５−３１７１０５号公報）、光反射フィルムをバッジ、カフスボタン、ネクタイピン、ペンダント等のアクセサリ類に利用した光反射アクセサリ（実用新案登録第３０６１７０３号）、光反射フィルムの裏面をバッキングフィルムにより被覆し、光反射フィルムの反射面を透明フィルムによって被覆してワッペン状に形成した光反射ワッペン（実用新案登録第３０６８２２７号）について提案している。
【０００４】
これらの光反射服飾ボタン、光反射アクセサリ、光反射ワッペンは、いずれもすぐれた光反射特性を有する光反射フィルムを利用して構成したものであり、光があたることによってボタン、アクセサリあるいはワッペンの光反射面が明るく輝くことによってすぐれたファッション効果を奏することによって従来の商品にはない特有の作用効果を発揮するとともに、きわめて見栄えの良い商品として提供されるものである。
【０００５】
本発明者は、これら従来の光反射フィルムによる作用効果に鑑み、光反射フィルムをシール製品に利用することについて思到した。前述したようにシール製品はきわめて多様なデザインが可能であることから用途が幅広いことと、その特性からすぐれた視認性が求められることから、光反射フィルムを利用する商品として好適と考えられるからである。
すなわち、本発明は光反射フィルムをシール製品に適用してなるものであり、すぐれた視認効果及びファッション性を有するとともに、種々の用途に利用することができる光反射シール製品を提供することを目的としている。
【０００６】
【課題を解決するための手段】
本発明は、上記目的を達成するため次の構成を備える。
すなわち、剥離シートに皮膚貼付用の粘着シートを粘着し、該粘着シートに剥離可能に接着層を介してシールを接着して成る光反射シール製品であって、前記シールが、下地シートと再帰性の光反射作用を備えた光反射フィルムとの間にクッション材が挟まれると共に所定の外形形状に前記下地シートと光反射フィルムとが溶着され、かつ外形線位置に沿って、切り離し用の切り込みが設けられて形成され、前記接着層に前記シールの下地シートが接着され、前記接着層に剥離可能に粘着シートが接着されて、前記シールが、前記粘着シートを介して前記剥離シートに粘着されていることを特徴とする。
また、前記光反射フィルムが、透明な表面フィルムとマイクロプリズム作用をなす光反射材を支持するシーリングフィルムとが中間に薄い空気層を挟んで貼り合わせて形成されたものであることを特徴とする。
【０００７】
【発明の実施の形態】
以下、本発明に係る光反射シール製品の好適な実施形態について、添付図面と共に詳細に説明する。
図１、２は本発明に係る光反射シール製品１０の例を示す平面図である。本発明に係る光反射シール製品１０も従来のシール製品と同様に、種々のキャラクター、図形、文字等の表現にしたがってデザインしたシール１２を剥離シートに平面的に粘着してシート状に形成したものである。
【０００８】
図１に示す光反射シール製品１０はパンダの図形と、ハート形及び星形のシール１２を組み合わせたもの、図２に示す光反射シール製品１０は動物と植物をデザインしたシール１２を組み合わせたものである。
シール１２は動物等の図形にしたがった所定の平面形状にデザインされ、キャラクターあるいは図形の外形形状に合わせて切り離し線が形成されている。各々のシール１２は切り離し線を剥離シートからの切り離し位置として各々単独で剥離シートから剥離することができる。
【０００９】
本実施形態の光反射シール製品１０で特徴的な構成は、各々のシール１２の表面を高輝度の光反射特性を有する光反射フィルムによって形成し、シール１２に照射された光を効果的に反射させることができるようにした点にある。
シール１２はフィルム状の光反射フィルムのみを基材として形成することも可能であるが、本実施形態では光反射フィルムの下地としてウレタン樹脂等のクッション材を配置し、このクッション材の表面を光反射フィルムで被覆する構成とした。これによってシール１２は肉厚に形成され、クッション性を有するものとなる。シール１２を肉厚としクッション性をもたせたことによりシール１２の粘着性が良好となり、シール１２を粘着したり剥離したりする操作がしやすくなる。
【００１０】
図３は、光反射シール製品のシール１２の構成を拡大して示す断面図である。同図で１４が光反射フィルム、１６がクッション材、１８が下地シート、２０が剥離シートである。シール１２は光反射フィルム１４と下地シート１８とによってクッション材１６を挟むとともに、シール１２の外形形状（切り離し線位置）に合わせて光反射フィルム１４とクッション材１６と下地シート１８とを熱溶着し、光反射フィルム１４によってクッション材１６の表面を包み込むように形成されている。２２が光反射フィルム１４とクッション材１６と下地シート１８とを熱溶着した溶着部である。なお、光反射フィルム１４とクッション材１６と下地シート１８を溶着する際には、少なくとも光反射フィルム１４と下地シート１８とを溶着すればよい。
【００１１】
２４は下地シート１８の下面に被着された接着層、２６は接着層２４の下層に形成された粘着シートである。粘着シート２６はフィルムの両面に粘着層を形成したもので、剥離シート２０に剥離可能に粘着されている。すなわち、シール１２は粘着シート２６及び接着層２４を介して剥離シート２０に粘着されて支持されている。
なお、接着層２４はいわゆる糊状の接着機能を有するものであって、紙、木、プラスチック、金属等への接着性にすぐれるという性質を有する。一方、粘着シート２６は医療用等で使用されている、とくに人間の皮膚への粘着性にすぐれ、透湿性を備えて、皮膚との粘着力が高いこと、何回も貼り直しができること、長時間貼っておいても皮膚に悪影響を及ぼさず安全に使用できる特性を有するものである。
【００１２】
２８はシール１２の外形線位置に合わせて接着層２４と粘着シート２６に形成した切り込み部である。切り込み部２８はシール１２を剥離シート２０から単独に分離して切り離しできるよう切り離し線位置に合わせて形成される。これによって、シール１２は常時は粘着シート２６及び接着層２４を介して剥離シート２０に粘着され、剥離シート２０から剥離する際には粘着シート２６と剥離シート２０との境界部分から剥離される。
【００１３】
図４（ａ）は、シール１２を剥離シート２０から剥離した状態を示す。下地シート１８に接着層２４と粘着シート２６が被着されている。この状態で所要の個所に粘着することができる。クッション材１６が光反射フィルム１４と下地シート１８との間に挟まれていること、光反射フィルム１４と下地シート１８とが柔軟性を有していることから、シール１２はソフトタッチで、任意の形状に合わせて粘着することができる。
【００１４】
前述したように本実施形態の光反射シール製品において特徴的な構成はシール１２の表面を高輝度の光反射特性を有する光反射フィルム１４によって形成した点にある。図６はこの光反射フィルム１４の内部構成を示す説明図である。
すなわち、図６に示すように、光反射フィルム１４は透明な表面フィルム３０と光反射材３２を支持するシーリングフィルム３４とを中間に薄い空気層３６を挟んで貼り合わせた形態に形成される。３８は表面フィルム３０とシーリングフィルム３４との間に空気層３６を設けて張り合わせるための支持部である。
図６（ａ）に示す光反射フィルム１４は光反射材３２として球状レンズを使用した例、図６（ｂ）に示す光反射フィルム１４は光反射材３２として三面体のキューブ体を使用した例である。
【００１５】
この光反射フィルム１４は透明樹脂製の球状レンズあるいはキューブ体を光反射材３２として使用し、球状レンズあるいはキューブ体のマイクロプリズム作用によって再帰性反射によりきわめて高輝度の光反射を可能にしたものである。マイクロプリズムによる再帰性の光反射作用は、光を投射する光源側に光を反射する作用が強く、高輝度の光反射を可能にするという特徴がある。
【００１６】
再帰性を有する反射材を備えた光反射フィルムとしては、スコッチライト（商標名）ハイ・グロス光反射フィルムがある。この商品は、柔軟性に富み、折り曲げ等が容易にできるとともに、溶着が容易であること、フィルムの表面に印刷することが容易にできるという特徴がある。光反射フィルムの再帰性光反射特性には種々あるが、再帰反射係数が２００カンデラ／ルクス毎平方メートル程度以上、とくに再帰反射係数が５００カンデラ／ルクス毎平方メートル程度以上のものは見栄えの点ですぐれている。
【００１７】
光反射シール製品は上記の光反射フィルム１４を使用することによって効果的に光を反射して、見栄えの良い商品として提供されるが、図１、２に示すように光反射フィルム１４の表面に適宜キャラクター、図形、文字等を適宜着色して印刷等することにより任意の図形、文字を表示することができる。光反射フィルム１４の表面に印刷等により図形等を表示した場合は、印刷部（表示部）によって光が遮られて反射光が弱まるから、キャラクターの呈示と光反射を考慮して表示部をデザインするのがよい。このように光反射フィルム１４に印刷等によってキャラクター、図形、文字等を表示することにより、昼間時は表示部がそのまま視認でき、夜間時は光反射フィルム１４からの反射光が印刷部（表示部）によって遮光されることによってキャラクターが視認されるようになる。
【００１８】
なお、実施形態の光反射シール製品では、クッション材１６を白色として光反射フィルム１４からの光反射効率が向上するようにしているが、クッション材１６を赤色、青色、銀色等に着色し、シール１２が着色されて視認されるようにすることも可能である。なお、シーリングフィルム３４は通常、透明フィルムによって形成するが、シーリングフィルム３４を着色して使用することも可能である。
【００１９】
図３に示す光反射シール製品を製造する場合は、剥離シート２０の表面に両面に粘着剤が被着された粘着シート２６を粘着し、接着層２４が被着されている下地シート１８を粘着シート２６に接着し、クッション材１６と光反射フィルム１４を被せた後、熱溶着刃を用いて所定のシール１２の外形形状に、光反射フィルム１４とクッション材１６と下地シート１８とを熱溶着する。その後、シール１２の外形形状に合わせて切り込み２８を入れればよい。熱溶着刃により光反射フィルム１４とクッション剤１６と下地シート１８とを熱溶着する際に同時に切り込み２８を入れるようにすることもできる。
【００２０】
図５は本発明に係る光反射シール製品の構成と比較するために従来のシール製品の構成を示した断面図である。従来のシール製品は剥離シート２０に接着層２４を介してシール１２を粘着した構成となっている。シール１２の表面には印刷等により所定の図形、文字等が表示され、剥離シート２０からシール１２を剥離し、接着層２４によってシール１２を所要個所に接着する。従来のシール製品は、シール１２の基材が紙、プラスチック等であり、本発明に係る光反射シール製品のような特有の光反射機能を備えるものではない。
【００２１】
図７、８は本発明に係る光反射シール製品の利用例を示す説明図である。図７は頬にシール１２を貼った例、図８は小物入れにシール１２を貼った例である。図７に示すように顔等の皮膚にシール１２を貼る場合は、図４（ａ）に示すように、下地シート１８に接着層２４と粘着シート２６が被着されている状態で貼り付ける。前述したように、粘着シート２６は医療用等で利用されている皮膚に粘着しやすく、皮膚に悪影響を与えない粘着剤及び所定の透湿度を有するフィルム材を用いて形成されているから、顔等に貼り付けてる用途としてきわめて好適である。
【００２２】
最近は、ファッションとして頬等に図形や文字等をペインティングすることが行われている。本発明に係る光反射シール製品は、ペインティングのかわりに頬にシールを貼り付けることによって同様な効果を手軽に得ることができる。とくに、本発明に係る光反射シール製品の優れている点は、きわめて光反射作用が高いことから、夜間でのコンサートあるいはスポーツ観戦等の際に照明があたると、キラキラと美しく輝き、きわめてすぐれたファッション性を表現することができる点である。
もちろん、光があたらない場合や昼間でも光の散乱作用等によって、ペインティングのかわりとしての作用が得られる。
また、粘着シート２６は何度でも繰り返して使えるから、使用後は剥離シート２０に粘着しておいて、再度使用するといったことも可能である。
【００２３】
粘着シート２６は皮膚以外の特定の物品に対しても好適な粘着性を備えている。たとえば、ウール生地、合成繊維生地等についても好適な粘性を有するから、粘着シート２６の粘着性を利用して本発明に係る光反射シール製品を衣服等に粘着して使用することも好適な利用法のひとつである。ブレザー等では胸にワッペンをつけて提供される商品がある。このような衣服の場合は、ワッペン状に形成した光反射シール製品をブレザーに粘着して使用することができる。ワッペン部分に光があたるときれいに輝き、商品価値を効果的に高めることができる。
【００２４】
また、図８に示すように、小物グッズなどに本発明に係るシール１２を貼る場合は、図４（ｂ）に示した形態、すなわち、シール１２から粘着シート２６を剥がして、下地シート１８に接着層２４を残した状態で貼り付ける。粘着シート２６によって各種グッズにシール１２を貼り付けることももちろん可能であるが、接着層２４は、紙、木、プラスチック、金属等への接着性にすぐれるから、各種グッズにシール１２を貼り付けるといった場合には粘着シート２６を接着層２４から剥離して使用するのが良い。
前述したように頬に貼って使った後は、粘着シート２６を剥がしてグッズに貼り付けて使用するという使い方が可能である。
【００２５】
上述したように、本発明に係る光反射シール製品は、光反射フィルム１４、クッション材１６、下地シート１８等から構成したものであって、シール１２の形状を任意にデザインすることは容易であり、多種類のキャラクターに対応した商品を容易に提供することができ、多様な製品を提供することができる。これによって多用途に利用可能な商品となる。
【００２６】
【発明の効果】
本発明に係る光反射シール製品は上述したように、光反射フィルムのすぐれた光反射特性によって、従来のシール製品にはない特有の光反射機能を備えたシールとして提供することができると共に、皮膚貼付用の粘着シートを粘着材として使用したことによって頬等にシールを貼るといった用途に好適に利用することができ、また、シールから粘着シートを剥がし接着層を利用してシールを貼り付けることも可能であり、従来のシール製品にはない新規な用途として利用することが可能になる等の著効を奏する。
【図面の簡単な説明】
【図１】本発明に係る光反射シール製品の例を示す平面図である。
【図２】本発明に係る光反射シール製品の例を示す平面図である。
【図３】本発明に係る光反射シール製品の構成を示す断面図である。
【図４】剥離シートから剥離したシールの構成を示す断面図である。
【図５】従来のシール製品の構成を示す断面図である。
【図６】光反射フィルムの構成を示す断面図である。
【図７】光反射シールの使用例を示す説明図である。
【図８】光反射シールの使用例を示す説明図である。
【符号の説明】
１０  光反射シール製品
１２  シール
１４  光反射フィルム
１６  クッション材
１８  下地シート
２０  剥離シート
２４  接着層
２６  粘着シート
２８  切り込み部
３０  表面フィルム
３２  光反射材
３４  シーリングフィルム
３６  空気層
【図１】
0003581312.tif 000002
【図２】
0003581312.tif 000003
【図３】
0003581312.tif 000004
【図４】
0003581312.tif 000005
【図５】
0003581312.tif 000006
【図６】
0003581312.tif 000007
【図７】
0003581312.tif 000008
【図８】
0003581312.tif 000009